(57)【要約】
【課題】把手を一体に備えた紙製梱包箱において、箱本体を組み立てる際に把手を容易に組み立てることができる新規な紙製梱包箱を提供する。
【解決手段】箱本体ａを下蓋フラップ６と上蓋フラップ７で閉蓋する際、一方の把手形成部９を折線８ａ，８ｂで折り曲げ、他方の把手形成部１１を折線１０で折り曲げ、該把手形成部１１の左右の端部１６ａ，１６ｂを開口１７ａ，１７ｂに差し込み、且つ折線１２ａ，１２ｂで折り曲げた係止板１３を下蓋フラップ６の内側に差し込めば、両把手形成板９，１１が重なり合って把手部ｂが組み立てられる。
【選択図】　図５
0003100049.tif 000002
【実用新案登録請求の範囲】
【請求項１】
　底壁（１）と対向一対の側壁（２，３）と対向一対の端壁（４，５）からなる箱本体（ａ）を、下蓋フラップ（６）と、該下蓋フラップ（６）に重なる上蓋フラップ（７）で閉蓋すると共に、把手（ｂ）を一体に備えるよう形成した紙製梱包箱であって、
　前記下蓋フラップ（６）に、該下蓋フラップ（６）から切り出され折線（８ａ，８ｂ）から立ち上がる一方の把手形成板（９）を形成し、該把手形成板（９）に折線（１０）を介して他方の把手形成板（１１）を連設し、該把手形成板（１１）に折線（１２ａ，１２ｂ）を介して係止板（１３）を連設すると共に、
　前記把手形成板（９）を切り起こすための切線（１４ａ，１４ｂ）と切線（１５）の間に、前記他方の把手形成板（１１）の左右の端部（１６ａ，１６ｂ）が挿入される開口（１７ａ，１７ｂ）が形成されるようにし、
　前記折線（８ａ，８ｂ）で折り曲げた一方の把手形成板（９）と、前記折線（１０）で折り曲げると共に左右の端部（１６ａ，１６ｂ）を前記開口（１７ａ，１７ｂ）に挿入した他方の把手形成板（１１）とを重ね合わせ、且つ、折線（１２ａ，１２ｂ）で折り曲げた係止板（１３）を下蓋フラップ（６）の内側に差し込んで、前記把手部（ｂ）が組み立てられるよう形成したことを特徴とする紙製梱包箱。
【請求項２】
　底壁（１）の対向する二辺に折線（２０，２１）を介して側壁（２，３）を連設し、一方の側壁（２）の外縁に折線（２２）を介して上蓋フラップ（７）を連設し、他方の側壁（３）の外縁に折線（２３）を介して下蓋フラップ（６）を、側縁に折線（２４，２５）を介して端壁（４，５）を夫々連設し、
　前記下蓋フラップ（６）に、該下蓋フラップ（６）から切り出され折線（８ａ，８ｂ）から立ち上がる一方の把手形成板（９）を形成し、該把手形成板（９）に折線（１０）を介して他方の把手形成板（１１）を連設し、該把手形成板（１１）に折線（１２ａ，１２ｂ）を介して係止板（１３）を連設すると共に、
　前記把手形成板（９）を切り起こすための切線（１４ａ，１４ｂ）と切線（１５）の間に、前記他方の把手形成板（１１）の左右の端部（１６ａ，１６ｂ）が挿入される開口（１７ａ，１７ｂ）が形成されるようにし、
　前記一方の側壁（３）を底にして、底壁（１）を折線（２１）で、端壁（４，５）を折線（２４，２５）で、下蓋フラップ（６）を折線（２３）で夫々折り曲げ、これら側壁（３）、底壁（１）、端壁（４，５）、下蓋フラップ（６）で囲まれる被梱包物の収納空間（Ｓ）内に収納した被梱包物（Ｂ）で前記底壁（１）、端壁（４，５）、下蓋フラップ（６）の折り曲げ状態を維持すると共に、
　前記折線（８ａ，８ｂ）で折り曲げた一方の把手形成板（９）と、前記折線（１０）で折り曲げると共に左右の端部（１６ａ，１６ｂ）を前記開口（１７ａ，１７ｂ）に挿入した他方の把手形成板（１１）とを重ね合わせ、且つ、折線（１２ａ，１２ｂ）で折り曲げた係止板（１３）を、前記被梱包物（Ｂ）と下蓋フラップ（６）の間の隙間（Ｃ）に差し込んで把手部（ｂ）を組み立て、
　さらに、前記側壁（２）を折線（２０）で折り曲げ、上蓋フラップ（７）を折線（２２）で折り曲げ、上蓋フラップ（７）のスリット（１８）に前記重ね合わた両把手形成板（９，１１）を差し込んで、上下の蓋フラップ（７，６）で閉蓋された箱本体（ａ）を組み立てるよう形成したことを特徴とする紙製梱包箱。
【請求項３】
　前記開口（１７ａ，１７ｂ）における切線（１４ａ，１４ｂ）側の端縁を、前記下蓋フラップ（６）の側縁に向けて傾斜する傾斜縁（２６，２７）としたことを特徴とする請求項１又は２記載の紙製梱包箱。
【請求項４】
　前記底壁（１）、側壁（２）、端壁（４，５）、下蓋フラップ（６）の側縁に折線（３０，３１，３２，３３，３４，３５，３６，３７）を介して補強フラップ（４０，４１，４２，４３，４４，４５，４６，４７）を連設し、それら補強フラップ（４０〜４７）を前記折線（３０〜３７）で内側に折り曲げて箱本体（ａ）を組み立てるよう形成したことを特徴とする請求項１〜３の何れか１記載の紙製梱包箱。
【考案の詳細な説明】
【技術分野】
【０００１】
　本考案は、段ボールや厚紙などの紙製基材を折り曲げて組み立てられる紙製梱包箱に関し、詳しくは、例えばビデオカセットテープなどの被梱包物を多数収納した状態で店頭に並べられ、購入者がそのまま持ち帰ることができる紙製梱包箱に関する。
【背景技術】
【０００２】
　近年、ビデオカセットテープは低価格で販売されるようになり、一人で多数購入するケースも多いことから、例えば１０本のビデオカセットテープを収納した箱を店頭に並べ、購入者がそのまま持ち帰れるようにした梱包形態が提供されている。
　このような梱包形態に用いる紙製梱包箱は、紙製基材の要所の折り曲げと貼り着けにより、底壁と対向一対の側壁と対向一対の端壁からなる箱本体を上下の蓋フラップで閉蓋するよう組み立てられ、蓋フラップに取り付けた把手により持ち運べるよう形成されている。
　また、このような梱包形態に用いる把手として、例えば特許文献１の図５に示されるようなプラスチックで一体成形されたものが広く知られており、その両端に備える掛止片を蓋フラップに設けた掛止孔に差し込んで紙製梱包箱に取り付けるようになっている。
【０００３】
　しかし、このような梱包形態にあっては、紙製の梱包箱とは別にプラスチック製の把手を必要とすると共に、その把手を梱包箱に組み付ける作業が必要であり、さらに、持ち運びの際に掛止片が掛止孔から抜けて商品が落下するようなことのないよう、抜け落ち防止のための受部材が別途必要になるという問題があった。
　また、梱包箱は紙製なので再利用が容易であるが、把手はプラスチック製のため再利用が困難であり、近年における環境問題などから好ましい梱包形態とは言い難いものであった。
【０００４】
　このような問題を解消するために、例えば前記特許文献１に開示されるような、把手を一体に備えた包装用箱が提案されている。
　この包装用箱は、内側の上フラップに、中央部から上方に折り曲げて逆Ｖ字状に起こしこの起こした部分によって把手を形成する把手形成部と、その先端部に把手形成部よりも幅の広い係止部を切り出し、外側の上フラップに前記把手が挿入される開口を形成し、前記把手を開口に挿入すると共に前記係止部を内側の上フラップの下面に係止するようになっている。
【０００５】
【特許文献１】実開平６−６５２１４号公報
【考案の開示】
【考案が解決しようとする課題】
【０００６】
　しかし、前記従来の包装用箱によれば、前記特許文献１の図１に示されるように、係止板が内側の上フラップから切り出されたものであり、把手を形成する際は、箱体を閉蓋するよう内側の上フラップを折り曲げた状態で、該内側の上フラップから把手形成板を切り離すように上方へ持ち上げつつ、中央部で折り曲げて逆Ｖ字状に起こし、それと同時に係止板を内側の上フラップ下面にて摺動させなければならず、把手の形成が面倒であるという問題があった。
【０００７】
　本発明はこのような従来事情に鑑みてなされたもので、その目的とする処は、把手を一体に備えた紙製梱包箱において、箱本体を組み立てる際に把手を容易に組み立てることができる新規な紙製梱包箱を提供することにある。
【課題を解決するための手段】
【０００８】
　以上の目的を達成するために、本考案の請求項１に係る紙製梱包箱は、底壁（１）と対向一対の側壁（２，３）と対向一対の端壁（４，５）からなる箱本体（ａ）を、下蓋フラップ（６）と、該下蓋フラップ（６）に重なる上蓋フラップ（７）で閉蓋すると共に、把手（ｂ）を一体に備えるよう形成した紙製梱包箱であって、
　前記下蓋フラップ（６）に、該下蓋フラップ（６）から切り出され折線（８ａ，８ｂ）から立ち上がる一方の把手形成板（９）を形成し、該把手形成板（９）に折線（１０）を介して他方の把手形成板（１１）を連設し、該把手形成板（１１）に折線（１２ａ，１２ｂ）を介して係止板（１３）を連設すると共に、
　前記把手形成板（９）を切り起こすための切線（１４ａ，１４ｂ）と切線（１５）の間に、前記他方の把手形成板（１１）の左右の端部（１６ａ，１６ｂ）が挿入される開口（１７ａ，１７ｂ）が形成されるようにし、
　前記折線（８ａ，８ｂ）で折り曲げた一方の把手形成板（９）と、前記折線（１０）で折り曲げると共に左右の端部（１６ａ，１６ｂ）を前記開口（１７ａ，１７ｂ）に挿入した他方の把手形成板（１１）を重ね合わせ、且つ、折線（１２ａ，１２ｂ）で折り曲げた係止板（１３）を下蓋フラップ（６）の内側に差し込んで、前記把手部（ｂ）が組み立てられるよう形成したことを特徴とする。
【０００９】
　このように構成した場合、箱本体（ａ）を下蓋フラップ（６）と上蓋フラップ（７）で閉蓋する際、一方の把手形成部（９）を折線（８ａ，８ｂ）で折り曲げ、他方の把手形成部（１１）を折線（１０）で折り曲げ、該把手形成部（１１）の左右の端部（１６ａ，１６ｂ）を開口（１７ａ，１７ｂ）に差し込み、且つ折線（１２ａ，１２ｂ）で折り曲げた係止板（１３）を下蓋フラップ（６）の内側に差し込めば、両把手形成板（９，１１）が重なり合って把手部（ｂ）が組み立てられる。すなわち、箱本体（ａ）の外側で把手形成板（９，１１）を要所で折り曲げると共に、左右端部（１６ａ，１６ｂ）と係止板（１３）を要所に差し込むだけの簡単な作業で、把手部（ｂ）を組み立てることができる。また、係止板（１３）が下蓋フラップ（６）と上蓋フラップ（７）で押えられるので、把手部（ｂ）が箱本体（ａ）に対し強固に備えられた状態となる。
【００１０】
　本考案の請求項２に係る紙製梱包箱は、底壁（１）の対向する二辺に折線（２０，２１）を介して側壁（２，３）を連設し、一方の側壁（２）の外縁に折線（２２）を介して上蓋フラップ（７）を連設し、他方の側壁（３）の外縁に折線（２３）を介して下蓋フラップ（６）を、側縁に折線（２４，２５）を介して端壁（４，５）を夫々連設し、
　前記下蓋フラップ（６）に、該下蓋フラップ（６）から切り出され折線（８ａ，８ｂ）から立ち上がる一方の把手形成板（９）を形成し、該把手形成板（９）に折線（１０）を介して他方の把手形成板（１１）を連設し、該把手形成板（１１）に折線（１２ａ，１２ｂ）を介して係止板（１３）を連設すると共に、
　前記把手形成板（９）を切り起こすための切線（１４ａ，１４ｂ）と切線（１５）の間に、前記他方の把手形成板（１１）の左右の端部（１６ａ，１６ｂ）が挿入される開口（１７ａ，１７ｂ）が形成されるようにし、
　前記一方の側壁（３）を底にして、底壁（１）を折線（２１）で、端壁（４，５）を折線（２４，２５）で、下蓋フラップ（６）を折線（２３）で夫々折り曲げ、これら側壁（３）、底壁（１）、端壁（４，５）、下蓋フラップ（６）で囲まれる被梱包物の収納空間（Ｓ）内に収納した被梱包物（Ｂ）で前記底壁（１）、端壁（４，５）、下蓋フラップ（６）の折り曲げ状態を維持すると共に、
　前記折線（８ａ，８ｂ）で折り曲げた一方の把手形成板（９）と、前記折線（１０）で折り曲げると共に左右の端部（１６ａ，１６ｂ）を前記開口（１７ａ，１７ｂ）に挿入した他方の把手形成板（１１）とを重ね合わせ、且つ、折線（１２ａ，１２ｂ）で折り曲げた係止板（１３）を、前記被梱包物（Ｂ）と下蓋フラップ（６）の間の隙間（Ｃ）に差し込んで把手部（ｂ）を組み立て、
　さらに、前記側壁（２）を折線（２０）で折り曲げ、上蓋フラップ（７）を折線（２２）で折り曲げ、上蓋フラップ（７）のスリット（１８）に前記重ね合わた両把手形成板（９，１１）を差し込んで、上下の蓋フラップ（７，６）で閉蓋された箱本体（ａ）を組み立てるよう形成したことを特徴とする。
【００１１】
　このように構成した場合、請求項１による前述の作用に加え、被梱包物（Ｂ）を有効に利用して、糊剤を用いることなく、要所の折線の折り曲げのみで、箱本体（ａ）と把手部（ｂ）を組み立てることができる。
【００１２】
　本考案の請求項３に係る紙製梱包箱は、請求項１又は２において、前記開口（１７ａ，１７ｂ）における切線（１４ａ，１４ｂ）側の端縁を、前記下蓋フラップ（６）の側縁に向けて傾斜する傾斜縁（２６，２７）としたことを特徴とする。
【００１３】
　このように構成した場合、請求項１又は２による前述の作用に加え、他方の把手形成板（１１）の左右端部（１６ａ，１６ｂ）の開口（１７ａ，１７ｂ）への挿入と、係止板（１３）の下蓋フラップ（６）内側への差し込みがより容易に行えるようになり、極めて簡単な作業で把手部（ｂ）を組み立てることができる。
【００１４】
　本考案の請求項４に係る紙製梱包箱は、請求項１〜３の何れか１項において、前記底壁（１）、側壁（２）、端壁（４，５）、下蓋フラップ（６）の側縁に折線（３０，３１，３２，３３，３４，３５，３６，３７）を介して補強フラップ（４０，４１，４２，４３，４４，４５，４６，４７）を連設し、それら補強フラップ（４０〜４７）を前記折線（３０〜３７）で内側に折り曲げて箱本体（ａ）を組み立てるよう形成したことを特徴とする。
【００１５】
　このように構成した場合、請求項１又は２又は３による前述の作用に加え、補強フラップ（４０〜４７）で補強された堅牢な箱本体（ａ）を備えた紙製梱包箱を提供し得る。
【考案の効果】
【００１６】
　本考案に係る紙製梱包箱は以上説明したように構成したので、以下に記載されるような効果を奏する。
【００１７】
　（請求項１）
　容易に組み立て可能な把手部を一体に有し且つその把手部が箱本体に強固に備え付けられるので、使用後の廃棄や再利用が容易であり、且つ把手部が抜け落ちるような虞れも無いので製品としての信頼性も高い、新規な紙製梱包箱を提供できた。
【００１８】
　（請求項２）
　糊剤を用いることなく、被梱包物を利用して容易且つ迅速に組み立てることができるので、請求項１による前述の効果をより実効あるものとし得た。
【００１９】
　（請求項３）
　把手部をより容易且つ迅速に組み立てることができるので、請求項１又は２による前述の効果をより実効あるものとし得た。
【００２０】
　（請求項４）
　補強フラップで補強された堅牢な箱本体を備えるので、請求項１、２、３による前述の効果をより実効あるものとし得た。
【考案を実施するための最良の形態】
【００２１】
　以下、本考案に係る紙製梱包箱の実施形態の一例を図１〜図１０を参照して説明する。本例の紙製梱包箱Ａは、段ボールや厚紙などからなる紙製基材Ａ’の要所の折り曲げのみによって組み立てられている。
【００２２】
　紙製基材Ａ’は、図１に示すように、底壁１、側壁２，３、端壁４，５、下蓋フラップ６、上蓋フラップ７、把手形成板９，１１、係止板１３、補強フラップ４０〜４７などを折線で連設すると共に、所要箇所に切線を有するように形成されている。
【００２３】
　すなわち、底壁１の対向する二辺には折線２０，２１を介して側壁２，３が連設され、一方の側壁２の外縁には折線２２を介して上蓋フラップ７が連設され、他方の側壁３の外縁には折線２３を介して下蓋フラップ６が、側縁には折線２４，２５を介して端壁４，５が夫々連設されている。
【００２４】
　また、下蓋フラップ６には、該下蓋フラップ６から切り出され折線８ａ，８ｂから立ち上がる一方の把手形成板９が形成され、該把手形成板９に折線１０を介して他方の把手形成板１１が連設されている。
【００２５】
　把手形成板１１には、下蓋フラップ６の内側に差し込まれる係止板１３が、折線１２ａ，１２ｂを介して連設されている。
【００２６】
　また、一方の把手形成板９を切り起こすための切線１４ａ，１４ｂと切線１５の間には、他方の把手形成板１１の左右の端部１６ａ，１６ｂが挿入される開口１７ａ，１７ｂが形成されるようになっている。
【００２７】
　開口１７ａ，１７ｂにおける切線１４ａ，１４ｂ側の端縁は、下蓋フラップ６の側縁に向けて傾斜する傾斜縁２６，２７とし、開口１７ａ，１７ｂへの前記端部１６ａ，１６ｂの挿入と、係止板１３の下蓋フラップ６内側への差し込みが容易になされるようになっている。
【００２８】
　底壁１、側壁２、端壁４，５、下蓋フラップ６の側縁には、折線３０，３１，３２，３３，３４，３５，３６，３７を介して補強フラップ４０，４１，４２，４３，４４，４５，４６，４７が連設されている。
【００２９】
　上蓋フラップ７には、後述する把手部ｂを差し込むためのスリット１８が形成されている。また上蓋フラップ７の外縁には、折線４８を介して掛止片４９が連設されている。
【００３０】
　側壁３と下蓋フラップ６の間の折線２３には、前記掛止片４９が差し込まれる切線５０が形成され、前記掛止片４９をその切線５０に挿入して、上蓋フラップ７による閉蓋状態を係止し得るようになっている。
　また、側壁３と下蓋フラップ６にわたっては、その切線５０を跨ぐようにストッパー片５１が切り出され、前記折線４８に設けた切線５２にその先端部を挿入し、上蓋フラップ７による閉蓋状態をより確実に係止し得るようになっている。
【００３１】
　このような構成になる紙製基材Ａ’の要所の折り曲げにより、本例の紙製梱包箱Ａを組み立てる手順を、図２〜図９を参照して説明する。
【００３２】
　まず、図１の展開状態から、一方の側壁３を底にして、底壁１を折線２１で、下蓋フラップ６を折線２３で夫々折り曲げて立ち上げ、さらに補強フラップ４０，４６，４１，４７を折線３０，３６，３１，３７で内側に折り曲げる（図２参照）。
　さらに、端壁４，５を折線２４，２５で折り曲げて立ち上げ、補強フラップ４４，４５を折線３４，３５で内側に折り曲げて、側壁３を底面とし、その周囲に立ち上がる底壁１、端壁４，５、下蓋フラップ６で囲まれた被梱包物の収納空間Ｓを形成する（図３参照）。
【００３３】
　次いで、その収納空間Ｓに、被梱包物Ｂである複数本のビデオカセットテープを収納して、底壁１、端壁４，５、下蓋フラップ６、補強フラップ４０，４１，４４，４５、４６，４７の折り曲げ状態を、糊剤などを用いることなく維持する（図４参照）。
【００３４】
　一方の把手形成板９を折線８ａ，８ｂで折り曲げて、切線１４ａ，１４ｂと切線１５の間に、他方の把手形成板１１の左右の端部１６ａ，１６ｂが挿入される開口１７ａ，１７ｂを形成する。
【００３５】
　この状態から、図４〜図７に示すように、他方の把手形成板１１を折線１０で折り曲げると共に、該把手形成板１１の左右の端部１６ａ，１６ｂを、開口１７ａ，１７ｂに挿入して一方の把手形成板９に重ね合わせ、且つ、折線１２ａ，１２ｂで折り曲げた係止板１３を、収納空間Ｓに収納された被梱包物Ｂと下蓋フラップ６の間の隙間Ｃに差し込んで、把手部ｂを組み立てる。
【００３６】
　次いで、図７〜図８に示すように、側壁２を折線２０で折り曲げ、折線３２，３３で折り曲げた補強フラップ４２，４３を、収納空間Ｓに収納された被梱包物Ｂと端壁４，５の間の隙間Ｃ’に差し込む。
【００３７】
　さらに、図８〜図９に示すように、上蓋フラップ７を折線２２で折り曲げ、上蓋フラップ７のスリット１８に、前記重ね合わた両把手形成板９，１１を差し込んで、上下の蓋フラップ７，６で閉蓋された箱本体ａを組み立てる。
　最後に、掛止片４９を切線５０に挿入し、ストッパー片５１の先端部を切線５２に挿入して、上下の蓋フラップ７，６による閉蓋状態を確実に係止する。
【００３８】
　このようにして、内部に被梱包物Ｂを収納した状態で紙製梱包箱Ａが組み立てられ、該紙製梱包箱Ａは、紙製基材からなる箱本体ａと把手部ｂを一体に備え、糊剤などの貼り着け手段を用いることなく紙材のみからなるので、使用後の廃棄や再利用が容易な地球環境にやさしい梱包材となる。
　また、把手部ｂは、係止板１３が下蓋フラップ６と上蓋フラップ７で押えられるので、箱本体ａに対し強固に備えられた状態となり、該把手部ｂが抜け落ちたり切断するような虞れが少ない。
　よって、例えば多数本のビデオカセットテープを収納し、その状態で店頭に並べて販売すると共に、購入者は把手部ｂを持ってそのまま持ち帰ることができる、信頼性の高い梱包形態として提供することができる。
【００３９】
　以上、本考案に係る紙製梱包箱の実施形態に一例を図面を参照して説明したが、本考案は図示例に限定されず、実用新案登録請求の範囲の各請求項に記載された技術的思想の範疇において、各種の変更が可能であることは言うまでも無い。
【図面の簡単な説明】
【００４０】
【図１】本考案に係る紙製梱包箱の展開状態の斜視図。
【図２】本考案に係る紙製梱包箱の組み立て途中の斜視図。
【図３】本考案に係る紙製梱包箱の組み立て途中の斜視図。
【図４】本考案に係る紙製梱包箱の組み立て途中の斜視図。
【図５】本考案に係る紙製梱包箱の組み立て途中の斜視図。
【図６】本考案に係る紙製梱包箱の組み立て途中の斜視図。
【図７】本考案に係る紙製梱包箱の組み立て途中の斜視図。
【図８】本考案に係る紙製梱包箱の組み立て途中の斜視図。
【図９】本考案に係る紙製梱包箱の斜視図。
【符号の説明】
【００４１】
　　Ａ：紙製梱包箱
　　ａ：箱本体
　　ｂ：把手部
　　１：底壁
　　２，３：側壁
　　４，５：端壁
　　６：下蓋フラップ
　　７：上蓋フラップ
　　９，１１：把手形成板
　　１３：係止板
　　１６ａ，１６ｂ：左右の端部
　　１７ａ，１７ｂ：開口
　　１８：スリット
　　４０，４１，４２，４３，４４，４５，４６，４７：補強フラップ
【図１】
0003100049.tif 000003
【図２】
0003100049.tif 000004
【図３】
0003100049.tif 000005
【図４】
0003100049.tif 000006
【図５】
0003100049.tif 000007
【図６】
0003100049.tif 000008
【図７】
0003100049.tif 000009
【図８】
0003100049.tif 000010
【図９】
0003100049.tif 000011
【手続補正書】
【提出日】平成15年9月17日(2003.9.17)
【手続補正１】
【補正対象書類名】実用新案登録請求の範囲
【補正対象項目名】全文
【補正方法】変更
【補正の内容】
【実用新案登録請求の範囲】
【請求項１】
　底壁（１）と対向一対の側壁（２，３）と対向一対の端壁（４，５）からなる箱本体（ａ）を、下蓋フラップ（６）と、該下蓋フラップ（６）に重なる上蓋フラップ（７）で閉蓋すると共に、把手（ｂ）を一体に備えるよう形成した紙製梱包箱であって、
　前記下蓋フラップ（６）に、該下蓋フラップ（６）から切り出され折線（８ａ，８ｂ）から立ち上がる一方の把手形成板（９）を形成し、該把手形成板（９）に折線（１０）を介して他方の把手形成板（１１）を連設し、該把手形成板（１１）に折線（１２ａ，１２ｂ）を介して係止板（１３）を連設すると共に、
　前記把手形成板（９）を切り起こすための切線（１４ａ，１４ｂ）と切線（１５）の間に、前記他方の把手形成板（１１）の左右の端部（１６ａ，１６ｂ）が挿入される開口（１７ａ，１７ｂ）が形成されるようにし、
　前記折線（８ａ，８ｂ）で折り曲げた一方の把手形成板（９）と、前記折線（１０）で折り曲げると共に左右の端部（１６ａ，１６ｂ）を前記開口（１７ａ，１７ｂ）に挿入した他方の把手形成板（１１）とを重ね合わせ、且つ、折線（１２ａ，１２ｂ）で折り曲げた係止板（１３）を下蓋フラップ（６）の内側に差し込んで、前記把手部（ｂ）が組み立てられるよう形成したことを特徴とする紙製梱包箱。
【請求項２】
　底壁（１）の対向する二辺に折線（２０，２１）を介して側壁（２，３）を連設し、一方の側壁（２）の外縁に折線（２２）を介して上蓋フラップ（７）を連設し、他方の側壁（３）の外縁に折線（２３）を介して下蓋フラップ（６）を、側縁に折線（２４，２５）を介して端壁（４，５）を夫々連設し、
　前記下蓋フラップ（６）に、該下蓋フラップ（６）から切り出され折線（８ａ，８ｂ）から立ち上がる一方の把手形成板（９）を形成し、該把手形成板（９）に折線（１０）を介して他方の把手形成板（１１）を連設し、該把手形成板（１１）に折線（１２ａ，１２ｂ）を介して係止板（１３）を連設すると共に、
　前記把手形成板（９）を切り起こすための切線（１４ａ，１４ｂ）と切線（１５）の間に、前記他方の把手形成板（１１）の左右の端部（１６ａ，１６ｂ）が挿入される開口（１７ａ，１７ｂ）が形成されるようにし、
　前記底壁（１）を折線（２１）で、端壁（４，５）を折線（２４，２５）で、下蓋フラップ（６）を折線（２３）で夫々折り曲げ、これら側壁（３）、底壁（１）、端壁（４，５）、下蓋フラップ（６）で囲まれる被梱包物の収納空間（Ｓ）内に収納した被梱包物（Ｂ）で前記底壁（１）、端壁（４，５）、下蓋フラップ（６）の折り曲げ状態を維持すると共に、
　前記折線（８ａ，８ｂ）で折り曲げた一方の把手形成板（９）と、前記折線（１０）で折り曲げると共に左右の端部（１６ａ，１６ｂ）を前記開口（１７ａ，１７ｂ）に挿入した他方の把手形成板（１１）とを重ね合わせ、且つ、折線（１２ａ，１２ｂ）で折り曲げた係止板（１３）を、前記被梱包物（Ｂ）と下蓋フラップ（６）の間の隙間（Ｃ）に差し込んで把手部（ｂ）を組み立て、
　さらに、前記側壁（２）を折線（２０）で折り曲げ、上蓋フラップ（７）を折線（２２）で折り曲げ、上蓋フラップ（７）のスリット（１８）に前記重ね合わた両把手形成板（９，１１）を差し込んで、上下の蓋フラップ（７，６）で閉蓋された箱本体（ａ）を組み立てるよう形成したことを特徴とする紙製梱包箱。
【請求項３】
　底壁（１）の対向する二辺に折線（２０，２１）を介して側壁（２，３）を連設し、一方の側壁（２）の外縁に折線（２２）を介して上蓋フラップ（７）を連設し、他方の側壁（３）の外縁に折線（２３）を介して下蓋フラップ（６）を、側縁に折線（２４，２５）を介して端壁（４，５）を夫々連設し、
　前記下蓋フラップ（６）に、該下蓋フラップ（６）から切り出され折線（８ａ，８ｂ）から立ち上がる一方の把手形成板（９）を形成し、該把手形成板（９）に折線（１０）を介して他方の把手形成板（１１）を連設し、該把手形成板（１１）に折線（１２ａ，１２ｂ）を介して係止板（１３）を連設すると共に、
　前記把手形成板（９）を切り起こすための切線（１４ａ，１４ｂ）と切線（１５）の間に、前記他方の把手形成板（１１）の左右の端部（１６ａ，１６ｂ）が挿入される開口（１７ａ，１７ｂ）が形成されるようにし、
　前記一方の側壁（３）を底にして、底壁（１）を折線（２１）で、端壁（４，５）を折線（２４，２５）で、下蓋フラップ（６）を折線（２３）で夫々折り曲げ、これら側壁（３）、底壁（１）、端壁（４，５）、下蓋フラップ（６）で囲まれる被梱包物の収納空間（Ｓ）内に収納した被梱包物（Ｂ）で前記底壁（１）、端壁（４，５）、下蓋フラップ（６）の折り曲げ状態を維持すると共に、
　前記折線（８ａ，８ｂ）で折り曲げた一方の把手形成板（９）と、前記折線（１０）で折り曲げると共に左右の端部（１６ａ，１６ｂ）を前記開口（１７ａ，１７ｂ）に挿入した他方の把手形成板（１１）とを重ね合わせ、且つ、折線（１２ａ，１２ｂ）で折り曲げた係止板（１３）を、前記被梱包物（Ｂ）と下蓋フラップ（６）の間の隙間（Ｃ）に差し込んで把手部（ｂ）を組み立て、
　さらに、前記側壁（２）を折線（２０）で折り曲げ、上蓋フラップ（７）を折線（２２）で折り曲げ、上蓋フラップ（７）のスリット（１８）に前記重ね合わた両把手形成板（９，１１）を差し込んで、上下の蓋フラップ（７，６）で閉蓋された箱本体（ａ）を組み立てるよう形成したことを特徴とする紙製梱包箱。
【請求項４】
　前記開口（１７ａ，１７ｂ）における切線（１４ａ，１４ｂ）側の端縁を、前記下蓋フラップ（６）の側縁に向けて傾斜する傾斜縁（２６，２７）としたことを特徴とする請求項１記載の紙製梱包箱。
【請求項５】
　前記開口（１７ａ，１７ｂ）における切線（１４ａ，１４ｂ）側の端縁を、前記下蓋フラップ（６）の側縁に向けて傾斜する傾斜縁（２６，２７）としたことを特徴とする請求項３記載の紙製梱包箱。
【請求項６】
　前記底壁（１）、側壁（２）、端壁（４，５）、下蓋フラップ（６）の側縁に折線（３０，３１，３２，３３，３４，３５，３６，３７）を介して補強フラップ（４０，４１，４２，４３，４４，４５，４６，４７）を連設し、それら補強フラップ（４０〜４７）を前記折線（３０〜３７）で内側に折り曲げて箱本体（ａ）を組み立てるよう形成したことを特徴とする請求項１記載の紙製梱包箱。
【請求項７】
　前記底壁（１）、側壁（２）、端壁（４，５）、下蓋フラップ（６）の側縁に折線（３０，３１，３２，３３，３４，３５，３６，３７）を介して補強フラップ（４０，４１，４２，４３，４４，４５，４６，４７）を連設し、それら補強フラップ（４０〜４７）を前記折線（３０〜３７）で内側に折り曲げて箱本体（ａ）を組み立てるよう形成したことを特徴とする請求項３記載の紙製梱包箱。
【請求項８】
　前記底壁（１）、側壁（２）、端壁（４，５）、下蓋フラップ（６）の側縁に折線（３０，３１，３２，３３，３４，３５，３６，３７）を介して補強フラップ（４０，４１，４２，４３，４４，４５，４６，４７）を連設し、それら補強フラップ（４０〜４７）を前記折線（３０〜３７）で内側に折り曲げて箱本体（ａ）を組み立てるよう形成したことを特徴とする請求項４記載の紙製梱包箱。
【請求項９】
　前記底壁（１）、側壁（２）、端壁（４，５）、下蓋フラップ（６）の側縁に折線（３０，３１，３２，３３，３４，３５，３６，３７）を介して補強フラップ（４０，４１，４２，４３，４４，４５，４６，４７）を連設し、それら補強フラップ（４０〜４７）を前記折線（３０〜３７）で内側に折り曲げて箱本体（ａ）を組み立てるよう形成したことを特徴とする請求項５記載の紙製梱包箱。
【請求項１０】
　被梱包物として複数のビデオカセットテープ（Ｂ）を収納することを特徴とする請求項１記載の紙製梱包箱。
【請求項１１】
　被梱包物として複数のビデオカセットテープ（Ｂ）を収納することを特徴とする請求項２記載の紙製梱包箱。
【請求項１２】
　被梱包物として複数のビデオカセットテープ（Ｂ）を収納することを特徴とする請求項３記載の紙製梱包箱。
【請求項１３】
　被梱包物として複数のビデオカセットテープ（Ｂ）を収納することを特徴とする請求項４記載の紙製梱包箱。
【請求項１４】
　被梱包物として複数のビデオカセットテープ（Ｂ）を収納することを特徴とする請求項５記載の紙製梱包箱。
【請求項１５】
　被梱包物として複数のビデオカセットテープ（Ｂ）を収納することを特徴とする請求項６記載の紙製梱包箱。
【請求項１６】
　被梱包物として複数のビデオカセットテープ（Ｂ）を収納することを特徴とする請求項７記載の紙製梱包箱。
【請求項１７】
　被梱包物として複数のビデオカセットテープ（Ｂ）を収納することを特徴とする請求項８記載の紙製梱包箱。
【請求項１８】
　被梱包物として複数のビデオカセットテープ（Ｂ）を収納することを特徴とする請求項９記載の紙製梱包箱。
【請求項１９】
　前記開口（１７ａ，１７ｂ）における切線（１４ａ，１４ｂ）側の端縁を、前記下蓋フラップ（６）の側縁に向けて傾斜する傾斜縁（２６，２７）とし、
　前記底壁（１）、側壁（２）、端壁（４，５）、下蓋フラップ（６）の側縁に折線（３０，３１，３２，３３，３４，３５，３６，３７）を介して補強フラップ（４０，４１，４２，４３，４４，４５，４６，４７）を連設し、それら補強フラップ（４０〜４７）を前記折線（３０〜３７）で内側に折り曲げて箱本体（ａ）を組み立てるよう形成し、
　被梱包物として複数のビデオカセットテープ（Ｂ）を収納することを特徴とする請求項２記載の紙製梱包箱。
【手続補正２】
【補正対象書類名】明細書
【補正対象項目名】００１０
【補正方法】変更
【補正の内容】
【００１０】
　本考案の請求項２に係る紙製梱包箱は、底壁（１）の対向する二辺に折線（２０，２１）を介して側壁（２，３）を連設し、一方の側壁（２）の外縁に折線（２２）を介して上蓋フラップ（７）を連設し、他方の側壁（３）の外縁に折線（２３）を介して下蓋フラップ（６）を、側縁に折線（２４，２５）を介して端壁（４，５）を夫々連設し、
　前記下蓋フラップ（６）に、該下蓋フラップ（６）から切り出され折線（８ａ，８ｂ）から立ち上がる一方の把手形成板（９）を形成し、該把手形成板（９）に折線（１０）を介して他方の把手形成板（１１）を連設し、該把手形成板（１１）に折線（１２ａ，１２ｂ）を介して係止板（１３）を連設すると共に、
　前記把手形成板（９）を切り起こすための切線（１４ａ，１４ｂ）と切線（１５）の間に、前記他方の把手形成板（１１）の左右の端部（１６ａ，１６ｂ）が挿入される開口（１７ａ，１７ｂ）が形成されるようにし、
　前記底壁（１）を折線（２１）で、端壁（４，５）を折線（２４，２５）で、下蓋フラップ（６）を折線（２３）で夫々折り曲げ、これら側壁（３）、底壁（１）、端壁（４，５）、下蓋フラップ（６）で囲まれる被梱包物の収納空間（Ｓ）内に収納した被梱包物（Ｂ）で前記底壁（１）、端壁（４，５）、下蓋フラップ（６）の折り曲げ状態を維持すると共に、
　前記折線（８ａ，８ｂ）で折り曲げた一方の把手形成板（９）と、前記折線（１０）で折り曲げると共に左右の端部（１６ａ，１６ｂ）を前記開口（１７ａ，１７ｂ）に挿入した他方の把手形成板（１１）とを重ね合わせ、且つ、折線（１２ａ，１２ｂ）で折り曲げた係止板（１３）を、前記被梱包物（Ｂ）と下蓋フラップ（６）の間の隙間（Ｃ）に差し込んで把手部（ｂ）を組み立て、
　さらに、前記側壁（２）を折線（２０）で折り曲げ、上蓋フラップ（７）を折線（２２）で折り曲げ、上蓋フラップ（７）のスリット（１８）に前記重ね合わた両把手形成板（９，１１）を差し込んで、上下の蓋フラップ（７，６）で閉蓋された箱本体（ａ）を組み立てるよう形成したことを特徴とする。
　本考案の請求項３に係る紙製梱包箱は、底壁（１）の対向する二辺に折線（２０，２１）を介して側壁（２，３）を連設し、一方の側壁（２）の外縁に折線（２２）を介して上蓋フラップ（７）を連設し、他方の側壁（３）の外縁に折線（２３）を介して下蓋フラップ（６）を、側縁に折線（２４，２５）を介して端壁（４，５）を夫々連設し、
　前記下蓋フラップ（６）に、該下蓋フラップ（６）から切り出され折線（８ａ，８ｂ）から立ち上がる一方の把手形成板（９）を形成し、該把手形成板（９）に折線（１０）を介して他方の把手形成板（１１）を連設し、該把手形成板（１１）に折線（１２ａ，１２ｂ）を介して係止板（１３）を連設すると共に、
　前記把手形成板（９）を切り起こすための切線（１４ａ，１４ｂ）と切線（１５）の間に、前記他方の把手形成板（１１）の左右の端部（１６ａ，１６ｂ）が挿入される開口（１７ａ，１７ｂ）が形成されるようにし、
　前記一方の側壁（３）を底にして、底壁（１）を折線（２１）で、端壁（４，５）を折線（２４，２５）で、下蓋フラップ（６）を折線（２３）で夫々折り曲げ、これら側壁（３）、底壁（１）、端壁（４，５）、下蓋フラップ（６）で囲まれる被梱包物の収納空間（Ｓ）内に収納した被梱包物（Ｂ）で前記底壁（１）、端壁（４，５）、下蓋フラップ（６）の折り曲げ状態を維持すると共に、
　前記折線（８ａ，８ｂ）で折り曲げた一方の把手形成板（９）と、前記折線（１０）で折り曲げると共に左右の端部（１６ａ，１６ｂ）を前記開口（１７ａ，１７ｂ）に挿入した他方の把手形成板（１１）とを重ね合わせ、且つ、折線（１２ａ，１２ｂ）で折り曲げた係止板（１３）を、前記被梱包物（Ｂ）と下蓋フラップ（６）の間の隙間（Ｃ）に差し込んで把手部（ｂ）を組み立て、
　さらに、前記側壁（２）を折線（２０）で折り曲げ、上蓋フラップ（７）を折線（２２）で折り曲げ、上蓋フラップ（７）のスリット（１８）に前記重ね合わた両把手形成板（９，１１）を差し込んで、上下の蓋フラップ（７，６）で閉蓋された箱本体（ａ）を組み立てるよう形成したことを特徴とする。
【手続補正３】
【補正対象書類名】明細書
【補正対象項目名】００１２
【補正方法】変更
【補正の内容】
【００１２】
　本考案の請求項４、５に係る紙製梱包箱は、請求項１、３において、前記開口（１７ａ，１７ｂ）における切線（１４ａ，１４ｂ）側の端縁を、前記下蓋フラップ（６）の側縁に向けて傾斜する傾斜縁（２６，２７）としたことを特徴とする。
【手続補正４】
【補正対象書類名】明細書
【補正対象項目名】００１３
【補正方法】変更
【補正の内容】
【００１３】
　このように構成した場合、前述の作用に加え、他方の把手形成板（１１）の左右端部（１６ａ，１６ｂ）の開口（１７ａ，１７ｂ）への挿入と、係止板（１３）の下蓋フラップ（６）内側への差し込みがより容易に行えるようになり、極めて簡単な作業で把手部（ｂ）を組み立てることができる。
【手続補正５】
【補正対象書類名】明細書
【補正対象項目名】００１４
【補正方法】変更
【補正の内容】
【００１４】
　本考案の請求項６、７、８、９に係る紙製梱包箱は、請求項１、３、４、５において、前記底壁（１）、側壁（２）、端壁（４，５）、下蓋フラップ（６）の側縁に折線（３０，３１，３２，３３，３４，３５，３６，３７）を介して補強フラップ（４０，４１，４２，４３，４４，４５，４６，４７）を連設し、それら補強フラップ（４０〜４７）を前記折線（３０〜３７）で内側に折り曲げて箱本体（ａ）を組み立てるよう形成したことを特徴とする。
【手続補正６】
【補正対象書類名】明細書
【補正対象項目名】００１５
【補正方法】変更
【補正の内容】
【００１５】
　このように構成した場合、前述の作用に加え、補強フラップ（４０〜４７）で補強された堅牢な箱本体（ａ）を備えた紙製梱包箱を提供し得る。
　本考案の請求項１０〜１８に係る紙製梱包箱は、請求項１〜９において、被梱包物として複数のビデオカセットテープ（Ｂ）を収納することを特徴とする。
【手続補正７】
【補正対象書類名】明細書
【補正対象項目名】００１８
【補正方法】変更
【補正の内容】
【００１８】
　（請求項２、３）
　糊剤を用いることなく、被梱包物を利用して容易且つ迅速に組み立てることができるので、請求項１による前述の効果をより実効あるものとし得た。
【手続補正８】
【補正対象書類名】明細書
【補正対象項目名】００１９
【補正方法】変更
【補正の内容】
【００１９】
　（請求項４、５、１９）
　把手部をより容易且つ迅速に組み立てることができるので、請求項１、３、２による前述の効果をより実効あるものとし得た。
【手続補正９】
【補正対象書類名】明細書
【補正対象項目名】００２０
【補正方法】変更
【補正の内容】
【００２０】
　（請求項６、７、８、９、１９）
　補強フラップで補強された堅牢な箱本体を備えるので、請求項１、３、４、５、２による前述の効果をより実効あるものとし得た。
　（請求項１０〜１９）
　複数のビデオカセットテープを収納し、その状態で店頭に並べて販売すると共に、購入者は把手部を持ってそのまま持ち帰ることができる新規な紙製梱包箱として提供することができる。
【手続補正１０】
【補正対象書類名】明細書
【補正対象項目名】００４１
【補正方法】変更
【補正の内容】
【００４１】
　　Ａ：紙製梱包箱
　　ａ：箱本体
　　ｂ：把手部
　　１：底壁
　　２，３：側壁
　　４，５：端壁
　　６：下蓋フラップ
　　７：上蓋フラップ
　　９，１１：把手形成板
　　１３：係止板
　　１６ａ，１６ｂ：左右の端部
　　１７ａ，１７ｂ：開口
　　１８：スリット
　　４０，４１，４２，４３，４４，４５，４６，４７：補強フラップ
　　Ｂ：ビデオカセットテープ（被梱包物）